(57)【特許請求の範囲】
【請求項１】
投写型表示装置であって、
投写表示するカラー画像を表す表示画像データを生成する表示画像データ生成部と、
前記表示画像データに基づいて画像表示信号を生成する画像表示信号生成部と、
前記画像表示信号に応じて画像を形成する光を射出する電気光学装置と、
前記電気光学装置から射出された光を投写する投写光学系と、
外部から入力される入力画像データを受ける画像入力部と、
を備え、
前記表示画像データ生成部は、
投写表示されるカラー画像の投写面上における位置を少なくとも調整するための調整用パターン画像を表す調整用パターンデータを記憶する調整用パターンメモリと、
前記入力画像データと前記調整用パターンデータとのうちから処理対象となるデータを選択するとともに、前記調整用パターン画像の位置を少なくとも調整するために設定された調整条件に従って前記選択されたデータを調整することによって、前記表示画像データを生成する調整部であって、前記調整用パターン画像の表示色を変更可能である前記調整部と、
を備え、
前記投写型表示装置が複数台準備された場合に、
前記各投写型表示装置に含まれる前記各調整部は、前記投写面上における画像の位置を少なくとも調整するために、個別に前記調整用パターン画像データを選択可能であり、この結果、前記各投写型表示装置は、個別に前記調整用パターン画像を表示可能であることを特徴とする投写型表示装置。
【請求項２】
請求項１記載の投写型表示装置であって、
前記調整部は、
前記調整用パターン画像の線の種類を変更可能である、投写型表示装置。
【請求項３】
請求項１または２記載の投写型表示装置であって、さらに、
前記投写光学系と前記電気光学装置との位置関係を調整することによって、前記調整用パターン画像の投写位置を変更するための位置調整機構を備える、投写型表示装置。
【請求項４】
複数台の投写型表示装置を備え、それぞれの投写型表示装置によって投写表示される複数のカラー画像を共通の投写面上に表示する投写表示システムであって、
前記複数台の投写型表示装置のそれぞれは、
投写表示するカラー画像を表す表示画像データを生成する表示画像データ生成部と、
前記表示画像データに基づいて画像表示信号を生成する画像表示信号生成部と、
前記画像表示信号に応じて画像を形成する光を射出する電気光学装置と、
前記電気光学装置から射出された光を投写する投写光学系と、
外部から入力される入力画像データを受ける画像入力部と、
を備え、
前記画像データ生成部は、
投写表示されるカラー画像の投写面上における位置を少なくとも調整するための調整用パターン画像を表す調整用パターンデータを記憶する調整用パターンメモリと、
前記入力画像データと前記調整用パターンデータとのうちから処理対象となるデータを選択するとともに、前記調整用パターン画像の位置を少なくとも調整するために設定された調整条件に従って前記選択されたデータを調整することによって、前記表示画像データを生成する調整部であって、前記調整用パターン画像の表示色を変更可能である前記調整部と、
を備え、
前記複数台の投写型表示装置の前記調整用パターンメモリは、同一形状を含む調整用パターン画像を表す前記調整用パターンデータを有していることを特徴とする投写表示システム。
【請求項５】
請求項４記載の投写表示システムであって、
前記投写表示システムは、３台の投写型表示装置を有し、
第１ないし第３の投写型表示装置は、それぞれ赤、緑、青の異なる表示色の調整用パターン画像を表示する、投写表示システム。
【請求項６】
請求項４記載の投写表示システムであって、
前記複数台の投写型表示装置のそれぞれの前記調整部は、
前記調整用パターン画像の線の種類を変更可能である、投写表示システム。
【請求項７】
請求項４ないし６のいずれかに記載の投写表示システムであって、
前記複数台の投写型表示装置によって投写表示される前記調整用パターン画像のそれぞれには、前記調整用パターン画像を投写する投写型表示装置を識別するための識別符号が付されている、投写表示システム。
【請求項８】
請求項４ないし７のいずれかに記載の投写表示システムであって、さらに、
前記複数台の投写型表示装置によって表示される前記調整用パターン画像の調整の設定を、ユーザが行うための調整入力部を備える、投写表示システム。
【請求項９】
請求項８記載の投写表示システムであって、
前記調整入力部は、前記複数台の投写型表示装置の調整用パターンメモリ内に記憶された前記調整用パターンデータを変更可能である、投写表示システム。
【請求項１０】
請求項４ないし９のいずれかに記載の投写表示システムであって、さらに、
前記投写光学系と前記電気光学装置との位置関係を調整することによって、前記調整用パターン画像の投写位置を変更するための位置調整機構を備える、投写表示システム。
【請求項１１】
投写面上にカラー画像を表示する投写表示方法であって、
（ａ）前記投写面上におけるカラー画像の位置を少なくとも調整するための同一形状を含む調整用パターン画像を表す調整用パターンデータを調整用パターンメモリに備える投写型表示装置を複数台準備する工程と、
（ｂ）前記複数台の投写型表示装置によって前記投写面上に投写表示された複数の前記調整用パターン画像の位置が少なくとも整合するように、前記複数台の投写型表示装置の画像調整条件をそれぞれ設定する工程と、
（ｃ）前記工程（ｂ）において設定された前記画像調整条件に基づいて、前記複数台の投写型表示装置にそれぞれ入力された入力画像データを調整して、前記投写面上にカラー画像をそれぞれ投写表示する工程と、
を備え、
前記工程（ｂ）は、
前記各投写型表示装置によって投写表示される前記調整用パターン画像の表示色を変更する工程を含むことを特徴とする投写表示方法。
【請求項１２】
請求項１１記載の投写表示方法であって、
前記複数台の投写型表示装置は、３台の投写型表示装置であり、
第１ないし第３の投写型表示装置は、それぞれ赤、緑、青の異なる表示色の調整用パターン画像を表示する、投写表示方法。
【請求項１３】
請求項１１記載の投写表示方法であって、
前記工程（ｂ）は、
前記各投写型表示装置によって投写表示される前記調整用パターン画像の線の種類を変更する工程を含む、投写表示方法。
【請求項１４】
請求項１１ないし１３のいずれかに記載の投写表示方法であって、
前記複数台の投写型表示装置によって投写表示される前記調整用パターン画像のそれぞれには、前記調整用パターン画像を投写する投写型表示装置を識別するための識別符号が付されている、投写表示方法。
【請求項１５】
請求項１１記載の投写表示方法であって、
前記複数台の投写型表示装置のそれぞれは、
画像表示信号に応じて画像を形成する光を射出する電気光学装置と、
前記電気光学装置から射出された光を投写する投写光学系と、
を含んでおり、
前記工程（ｂ）は、さらに、
前記複数台の投写型表示装置によって前記投写面上に投写表示された複数の前記調整用パターン画像の位置が少なくとも整合するように、前記投写光学系と前記電気光学装置との位置関係を調整することによって、前記調整用パターン画像の投写位置を変更する工程を含む、投写表示方法。
【発明の詳細な説明】
【０００１】
【発明の属する技術分野】
この発明は、複数台の投写型表示装置を用いて共通の投写面上に画像を表示する技術に関する。
【０００２】
【従来の技術】
投写型表示装置は複数台準備されると、投写表示システムとして機能する。投写表示システムでは、複数台の投写型表示装置のそれぞれによって投写面上に表示される複数の画像を、うまく整合させて画像を表示する。
【０００３】
図１５は、従来の投写表示システムを示す説明図である。図１５の投写表示システムでは、３台の投写型表示装置ＰＪＺＡ，ＰＪＺＢ，ＰＪＺＣが積み重ねて用いられている。各投写型表示装置は、図示しない画像供給装置から供給されるアナログ画像信号ＡＶ１に基づいて画像を表示する。
【０００４】
【発明が解決しようとする課題】
しかし、従来の投写表示システムでは、複数台の投写型表示装置のそれぞれによって表示される画像の位置等を容易に整合させることが困難であった。
【０００５】
この発明は、従来技術における上述の課題を解決するためになされたものであり、複数台の投写型表示装置によって投写表示される複数の画像を、容易に整合させることのできる技術を提供することを目的とする。
【０００６】
【課題を解決するための手段およびその作用・効果】
上述の課題の少なくとも一部を解決するため、本発明の投写型表示装置は、
投写表示する画像を表す表示画像データを生成する表示画像データ生成部と、
前記表示画像データに基づいて画像表示信号を生成する画像表示信号生成部と、
前記画像表示信号に応じて画像を形成する光を射出する電気光学装置と、
前記電気光学装置から射出された光を投写する投写光学系と、
外部から入力される入力画像データを受ける画像入力部と、
を備え、
前記表示画像データ生成部は、
投写表示される画像の投写面上における位置を少なくとも調整するための調整用パターン画像を表す調整用パターンデータを記憶する調整用パターンメモリと、
前記入力画像データと前記調整用パターンデータとのうちから処理対象となるデータを選択するとともに、前記調整用パターン画像の位置を少なくとも調整するために設定された調整条件に従って前記選択されたデータを調整することによって、前記表示画像データを生成する調整部と、
を備え、
前記投写型表示装置が複数台準備された場合に、
前記各投写型表示装置に含まれる前記各調整部は、前記投写面上における画像の位置を少なくとも調整するために、個別に前記調整用パターン画像データを選択可能であり、この結果、前記各投写型表示装置は、個別に前記調整用パターン画像を表示可能であることを特徴とする。
【０００７】
このような投写型表示装置を複数台用いるときには、複数台の投写型表示装置によって投写面上に表示される複数の調整用パターン画像を、容易に整合させることが可能となる。また、調整用パターン画像を整合させた際の調整条件に従って、入力画像データを調整すれば、うまく整合した状態で画像を表示することができる。
【０００８】
上記の投写型表示装置において、
前記調整部は、
前記調整用パターン画像の表示色を変更可能であることが好ましい。
【０００９】
こうすれば、複数台の投写型表示装置を用いるときに、各投写型表示装置によって投写表示される複数の調整用パターン画像を容易に識別することができるので、さらに容易に画像を整合させることが可能となる。
【００１０】
あるいは、上記の投写型表示装置において、
前記調整部は、
前記調整用パターン画像の線の種類を変更可能である、投写型表示装置。
【００１１】
こうしても、複数台の投写型表示装置を用いるときに、各投写型表示装置によって投写表示される複数の調整用パターン画像を容易に識別することができるので、さらに容易に画像を整合させることが可能となる。
【００１２】
さらに、上記の投写型表示装置において、
前記投写光学系と前記電気光学装置との位置関係を調整することによって、前記調整用パターン画像の投写位置を変更するための位置調整機構を備えることが好ましい。
【００１３】
こうすれば、複数台の投写型表示装置を用いるときに、各投写型表示装置が投写する画像の投写位置を変更することができるので、比較的容易に画像を整合させることが可能となる。
【００１４】
本発明は、上述した投写型表示装置を複数台備える投写表示システムとしても実現可能である。
【００１５】
前記投写表示システムは、３台の投写型表示装置を有し、
第１ないし第３の投写型表示装置は、それぞれ赤、緑、青の異なる表示色の調整用パターン画像を表示することが好ましい。
【００１６】
こうすれば、３つの調整用パターン画像を容易に識別することができるとともに、３色の画像を整合させる際の整合状態の良否を容易に判断することができるので、画像を容易に整合させることができる。
【００１７】
上記の投写表示システムにおいて、
前記複数台の投写型表示装置によって投写表示される前記調整用パターン画像のそれぞれには、前記調整用パターン画像を投写する投写型表示装置を識別するための識別符号が付されていることが好ましい。
【００１８】
こうすれば、複数台の投写型表示装置によって投写表示される調整用パターン画像から、どの投写型表示装置を調整すればよいかを容易に知ることが可能となる。
【００１９】
さらに、上記投写表示システムにおいて、
前記複数台の投写型表示装置によって表示される前記調整用パターン画像の調整の設定を、ユーザが行うための調整入力部を備えるようにしてもよい。
【００２０】
このようにしても、各投写型表示装置によって投写表示される複数の画像をうまく整合させることが可能である。
【００２１】
上記の投写表示システムにおいて、
前記調整入力部は、前記複数台の投写型表示装置の調整用パターンメモリ内に記憶された前記調整用パターンデータを変更可能であることが好ましい。
【００２２】
こうすれば、種々の調整用パターン画像を用いて複数の画像を整合させることができる。
【００２３】
本発明の方法は、投写面上に画像を表示する投写表示方法であって、
（ａ）前記投写面上における画像の位置を少なくとも調整するための同一形状を含む調整用パターン画像を表す調整用パターンデータを調整用パターンメモリに備える投写型表示装置を複数台準備する工程と、
（ｂ）前記複数台の投写型表示装置によって前記投写面上に投写表示された複数の前記調整用パターン画像の位置が少なくとも整合するように、前記複数台の投写型表示装置の画像調整条件をそれぞれ設定する工程と、
（ｃ）前記工程（ｂ）において設定された前記画像調整条件に基づいて、前記複数台の投写型表示装置にそれぞれ入力された入力画像データを調整して、前記投写面上に画像をそれぞれ投写表示する工程と、
を備えることを特徴とする。
【００２４】
こうすれば、上記の投写表示システムと同様に、複数台の投写型表示装置によって投写表示される複数の画像を、容易に整合させることが可能となる。
【００２５】
【発明の実施の形態】
Ａ．第１実施例：
次に、本発明の実施の形態を実施例に基づき説明する。図１は、本発明の実施例としての投写表示システムを示す説明図である。この投写表示システムは、３台の投写型表示装置ＰＪＡ，ＰＪＢ，ＰＪＣと、パーソナルコンピュータ３００とを備えている。コンピュータ３００は、本発明における調整入力部に相当し、各投写型表示装置の表示条件の設定等を行うための制御信号ＣＴＲを各投写型表示装置に供給する。各投写型表示装置ＰＪＡ，ＰＪＢ，ＰＪＣには、図示しない画像供給装置からアナログ画像信号ＡＶ１が供給される。各投写型表示装置ＰＪＡ，ＰＪＢ，ＰＪＣは、供給されたアナログ画像信号ＡＶ１に基づいて同じ画像をスクリーンＳＣ上に表示することが可能である。この結果、スクリーンＳＣ上には、合成された１つの明るい画像が表示される。
【００２６】
ところで、３台の投写型表示装置ＰＪＡ，ＰＪＢ，ＰＪＣによって表示される３つの画像を１つの画像として表示するには、３つの画像をうまく整合させることが必要である。本実施例の投写表示システムでは、調整用パターン画像を表す調整用パターンデータＡＤＰが各投写型表示装置ＰＪＡ，ＰＪＢ，ＰＪＣ内に記憶されている。この調整用パターン画像を用いることによって、３つの画像を容易に整合させることが可能となっている。
【００２７】
図２は、図１の各投写型表示装置の内部構成の一例を示すブロック図である。投写型表示装置は、画像信号処理部２１０と、ＯＳＤ（オンスクリーンディスプレイ）処理部２１２と、ＯＳＤメモリ２１３と、液晶ライトバルブ駆動部２１４と、液晶ライトバルブ２１６と、ＣＰＵ２２０と、フレームメモリ２２２と、調整用パターンメモリ２２４と、制御信号処理部２２８と、照明光学系１００と、投写レンズ１０２と、位置調整機構１０３とを備えている。画像信号処理部２１０と、ＯＳＤ処理部２１２と、調整用パターンメモリ２２４と、制御信号処理部２２８と、ＣＰＵ２２０とは、バス２００ｂによって互いに接続されている。液晶ライトバルブ２１６は、照明光学系１００によってほぼ均一に照明されており、液晶ライトバルブ２１６に形成された画像は、投写レンズ１０２によってスクリーンＳＣ上に投写される。なお、図２において、照明光学系１００，投写レンズ１０２の図示は、簡略化されている。
【００２８】
画像入力端子２０８には、外部の画像供給装置（図示せず）からアナログ画像信号ＡＶ１が入力されている。なお、画像入力端子２０８は、本発明の画像入力部に相当する。画像信号処理部２１０は、アナログ画像信号ＡＶ１をＡＤ変換して、変換された画像データをフレームメモリ２２２に書き込む機能と、画像データをフレームメモリ２２２から読み出す機能とを有している。なお、アナログ画像信号ＡＶ１としては、例えば、パーソナルコンピュータから出力されたコンピュータ画面を表すＲＧＢ信号や、ビデオレコーダやテレビジョン受信機から出力された動画を表すコンポジット画像信号などの画像信号が供給される。
【００２９】
また、画像信号処理部２１０は、調整用パターンメモリ２２４に記憶された調整用パターンデータを調整用パターン画像データ（単に「画像データ」とも呼ぶ）としてフレームメモリ２２２に書き込む機能と、フレームメモリに書き込まれた調整用パターン画像データを読み出す機能とを有している。調整用パターンメモリ２２４は、各投写型表示装置によって投写表示される複数の画像を整合させるための調整用パターン画像を表す調整用パターンデータを備えるメモリである。
【００３０】
なお、画像信号処理部２１０は、外部から入力されるアナログ画像信号ＡＶ１と、調整用パターンメモリ２２４に記憶された調整用パターンデータとのいずれか一方を選択して、フレームメモリ２２２に書き込む。
【００３１】
図３は、調整用パターンメモリ２２４に記憶された調整用パターンデータによって表される調整用パターン画像の例を示す説明図である。図３（Ａ）は、矩形領域を表す枠と、矩形の対角線とを含む調整用パターン画像ＰＴ１を示している。図３（Ｂ）は、矩形領域の四隅を表すカギ部と、矩形領域の中心を示す十字部とを含む調整用パターン画像ＰＴ２を示している。図３（Ｃ）は、大きさの異なる複数の矩形枠が等高線状に配置された調整用パターン画像ＰＴ３を示している。調整用パターンメモリ２２４には、このような調整用パターン画像を表す調整用パターンデータが少なくとも１つの記憶されている。なお、調整用パターン画像としては、図３（Ａ）〜（Ｃ）に示すように、矩形領域の外縁が明確となるものが適している。したがって、矩形形状の内部を塗りつぶしたベタパターンを用いてもよい。ただし、調整用パターン画像としては、図３（Ａ）〜（Ｃ）に示すように、矩形領域の中心が分かるようなものが好ましい。各投写型表示装置ＰＪＡ，ＰＪＢ，ＰＪＣの調整用パターンメモリ２２４には、上記のような調整用パターン画像を表す同じ調整用パターンデータが格納されている。なお、外部コンピュータ３００（図１）は、制御信号処理部２２８を介して調整用パターンメモリ２２４に他の調整用パターンデータを追加したり、調整用パターンメモリ２２４内の既存の調整用パターンデータを削除したりして、調整用パターンメモリ２２４内に記憶された調整用パターンデータを変更することが可能である。
【００３２】
ところで、画像信号処理部２１０は、調整用パターンメモリ２２４から読み出された調整用パターンデータを、画像信号処理部２１０内の調整条件メモリ２１１に格納された調整条件に従って調整して、フレームメモリ２２２に書き込むことが可能である。また、その調整条件に従って、ＡＤ変換されたアナログ画像信号を調整してフレームメモリ２２２に書き込むことも可能である。具体的には、フレームメモリ２２２内への画像データの書き込み位置の指定や、拡大・縮小処理、補正処理などの調整を行う。また、本実施例においては、調整用パターンデータは、調整用パターンメモリ２２４内に圧縮して記憶されているため、画像信号処理部２１０は、調整用パターンメモリ２２４内に記憶された調整用パターンデータの展開処理も行う。
【００３３】
フレームメモリ２２２に記憶された画像データは、画像信号処理部２１０によって読み出され、画像信号処理部２１０は、読み出した画像データＤＶ１をＯＳＤ処理部２１２に出力する。
【００３４】
ＯＳＤ処理部２１２は、制御信号処理部２２８からの要求があるときには、メニュー画面などを表すＯＳＤ画像データを、画像データＤＶ１に合成する処理を行う。ユーザは、このメニュー画面に従って、投写型表示装置の各部の機能を制御することができる。
【００３５】
ＯＳＤメモリ２１３には、メニュー画面を構成するグラフィックデータやフォントデータなどが所定のフォーマットで記憶されている。メニュー画面を表示する際には、ＯＳＤ処理部２１２は、ＯＳＤメモリ２１３からメニュー画面データを読み出してＯＳＤ画像データを生成する。また、ＯＳＤ処理部２１２は、このＯＳＤ画像データを画像信号処理部２１０から出力された画像データＤＶ１と合成する。なお、ＯＳＤ処理部２１２における画像データＤＶ１とＯＳＤ画像データとの合成は、ＯＳＤ処理部２１２内に備えられた図示しないセレクタを用いることによって行うことができる。あるいは、乗算器や加算器を用いて２つの画像データの演算処理を行うことによって合成を行うようにしてもよい。演算処理による合成を行えば、画像データＤＶ１によって表される画像とＯＳＤ画像データによって表されるメニュー画面とを半透明の状態で表示することができる。
【００３６】
制御信号処理部２２８（図２）は、リモコン２２９からの指令や外部コンピュータ３００（図１）からの制御信号ＣＴＲに基づいて、投写型表示装置の各部の機能を制御する。例えば、制御信号処理部２２８は、画像信号処理部２１０とＯＳＤ処理部２１２とを制御することによって、表示条件の設定を行うことができる。具体的には、制御信号処理部２２８は、リモコン２２９や外部コンピュータ３００からの命令を受けて、ＯＳＤ処理部２１２に所定のメニュー画面を表示させ、メニュー画面に従って設定された表示条件に基づいて画像信号処理部２１０に処理を実行させる。
【００３７】
ＯＳＤ処理部２１２から出力された画像データＤＶ２は、液晶ライトバルブ駆動部２１４に供給される。液晶ライトバルブ駆動部２１４は、この画像データＤＶ２に応じて、液晶ライトバルブ２１６を駆動する。液晶ライトバルブ２１６は、照明光学系１００から射出された光を変調する。液晶ライトバルブ２１６から射出される変調光は、投写レンズ１０２によってスクリーンＳＣ上に投写され、スクリーンＳＣ上に画像が表示される。なお、本実施例の投写レンズ１０２には、液晶ライトバルブ２１６との位置関係を調整するための位置調整機構１０３が設けられている。この位置調整機構１０３を用いて、スクリーンＳＣ上における画像の投写位置を変更可能である。なお、位置調整機構１０３としては、投写レンズ１０２と液晶ライトバルブ２１６との位置を、水平方向と垂直方向にそれぞれ独立に調整できるような機構を用いることが好ましい。
【００３８】
以上の説明からも分かるように、本実施例の液晶ライトバルブ駆動部２１４が本発明における画像表示信号生成部に相当し、液晶ライトバルブ２１６が電気光学装置に相当する。
【００３９】
図１の投写表示システムにおいて、スクリーンＳＣ上に１つの画像を投写表示する際には、複数台の投写型表示装置によって投写表示される複数の画像をうまく整合させることが必要である。図４は、投写表示システムにおける画像の整合処理方法を示すフローチャートである。
【００４０】
ステップＳ１では、各投写型表示装置ＰＪＡ，ＰＪＢ，ＰＪＣにおいて調整用パターン画像を選択する。図５は、調整用パターン画像を選択するためのメニュー画面の一例を示す説明図である。図５のメニュー画面は、リモコン２２９（図２）や外部コンピュータ３００（図１）を操作することにより、各投写型表示装置によってスクリーンＳＣ上に表示される。このメニュー画面では、「どのパターンを選択しますか？」というメッセージとともに、調整用パターンメモリ２２４内に記憶された複数の調整用パターン画像のデータ名が「PT1.dat」，「PT2.dat」，「PT3.dat」，…のように表示されている。なお、図５のメニュー画面では、調整用パターンデータ名が表示されているが、調整用パターン画像を表示するようにしてもよい。こうすれば、調整用パターン画像の内容を確認しながら選択することが可能となる。
【００４１】
ユーザは、メニュー画面において、どの調整用パターン画像を用いるかをリモコン２２９（図２）や外部コンピュータ３００（図１）を用いて投写型表示装置毎に選択する。図５では、調整用パターン画像「ＰＴ１」（図３（Ａ））が選択されている様子が、ハッチを付して示されている。調整用パターン画像は、各投写型表示装置において同じものを選択する。ただし、本実施例では、図示しない表示色選択画面において、調整用パターン画像の色をさらに選択することができる。本実施例では、第１の投写型表示装置ＰＪＡについては赤色の調整用パターン画像ＰＴ１Ａが選択され、第２の投写型表示装置ＰＪＢについては緑色の調整用パターン画像ＰＴ１Ｂが選択され、第３の投写型表示装置ＰＪＣについては青色の調整用パターン画像ＰＴ１Ｃが選択されるものとする。各投写型表示装置について調整用パターン画像が選択されると、スクリーンＳＣ上には選択された調整用パターン画像が表示される。このように、表示色の異なる調整用パターン画像を選択する場合には、３台の投写型表示装置によってスクリーン上に表示される３つの調整用パターン画像を容易に識別することが可能となる。また、表示色の他に、実線や破線などの線の種類を投写型表示装置毎に選択できるようにしてもよい。このように、線の種類の異なる調整用パターン画像を用いても、各投写型表示装置によって表示される調整用パターン画像を容易に識別することが可能である。なお、同一形状を含む調整用パターン画像についての表示色や線の種類の変更は、同一形状で、かつ、表示色や線の種類の異なる調整用パターン画像を表す複数の調整用パターンデータを予め準備しておき、所望の調整用パターンデータを選択して行うようにしてもよい。
【００４２】
ステップＳ１において、各投写型表示装置について調整用パターン画像ＰＴ１が選択されると、フレームメモリ２２２内には、調整用パターン画像ＰＴ１を表す画像データＤＰＴ１が書き込まれる。図６は、各投写型表示装置内のフレームメモリ２２２に書き込まれた調整用パターン画像データＤＰＴ１を示す説明図である。図示するように、調整用パターン画像データＤＰＴ１は、フレームメモリ２２２のほぼ中央に、フレームメモリ２２２の全領域よりも少し小さな領域に書き込まれる。これは、後述するステップＳ３（図４）において、フレームメモリ２２２内に書き込む調整用パターン画像データＤＰＴ１の位置をずらしたり、拡大させたりする場合があるからである。なお、本実施例において、フレームメモリ２２２の全領域は、液晶ライトバルブ２１６の有効表示領域と同じ大きさに設定されている。したがって、フレームメモリ２２２内に書き込まれた画像データは、液晶ライトバルブ２１６に形成される画像を表している。
【００４３】
ステップＳ２（図４）では、スクリーンＳＣ上に表示された調整用パターン画像を見ながら、位置調整機構１０３（図２）を用いて投写レンズ１０２の位置調整を行う。この位置調整により、各投写型表示装置によってスクリーン上に表示される画像の投写位置が変更される。
【００４４】
図７は、各投写型表示装置ＰＪＡ，ＰＪＢ，ＰＪＣによって表示される調整用パターン画像の投写位置を示す説明図である。図７に示すように、初期状態では、各投写型表示装置はスクリーンＳＣ上に調整用パターン画像をうまく重ねて表示できておらず、調整用パターン画像の投写位置は互いにかなりずれている。ステップＳ２では、この調整用パターン画像の投写位置のずれを、投写レンズ１０２（図２）の配置を変更することによって小さくする。
【００４５】
図８は、ステップＳ２における処理を示す説明図である。図中、破線で示す第１の調整用パターン画像ＰＴ１Ａは第１の投写型表示装置ＰＪＡ（図１）によって表示される赤色画像であり、実線で示す第２の調整用パターン画像ＰＴ１Ｂは第２の投写型表示装置ＰＪＢによって表示される緑色画像であり、一点鎖線で示す第３の調整用パターン画像ＰＴ１Ｃは第３の投写型表示装置ＰＪＣによって表示される青色画像である。
【００４６】
図８（Ａ）は、投写レンズの位置調整を行う前にスクリーンＳＣ上に表示される３つの調整用パターン画像ＰＴ１Ａ，ＰＴ１Ｂ，ＰＴ１Ｃを示している。図示するように、投写レンズの位置調整を行う前では、３つの調整用パターン画像ＰＴ１Ａ，ＰＴ１Ｂ，ＰＴ１Ｃは互いにかなりずれている。第２の調整用パターン画像ＰＴ１Ｂを基準とすると、第１の調整用パターン画像ＰＴ１Ａは左上方向にずれており、第３の調整用パターン画像ＰＴ１Ｃは右下方向にずれている。以下では、第２の調整用パターン画像ＰＴ１Ｂを基準として、投写レンズの位置調整を行う場合について説明する。
【００４７】
図８（Ｂ）は、投写レンズの位置調整を行うためのメニュー画面の一例を示している。このメニュー画面は、第１の投写型表示装置ＰＪＡのＯＳＤ処理部２１２（図２）によって、第１の調整用パターン画像ＰＴ１Ａ上に重畳して表示される。なお、ユーザは、メニュー画面の大きさや表示位置を変更することができる。ユーザは、メニュー画面に従って、リモコン２２９（図２）や外部コンピュータ３００（図１）を操作することにより、投写レンズ１０２の配置を調整し、スクリーンＳＣ上に表示された第１の調整用パターン画像ＰＴ１Ａの投写位置を変更することができる。図８（Ｂ）では、第１の調整用パターン画像ＰＴ１Ａの投写位置を右下方向に移動させれば、第２の調整用パターン画像ＰＴ１Ｂの投写位置と大体一致させることができる。
【００４８】
図８（Ｃ）は、第１の投写型表示装置ＰＪＡの投写レンズの位置調整を行った後に表示される３つの調整用パターン画像を示している。図８（Ｃ）では、第１の調整用パターン画像ＰＴ１Ａと第２の調整用パターン画像ＰＴ１Ｂとの投写位置が大体一致している。なお、図８（Ｃ）では、図示の便宜上、第１および第２の調整用パターン画像の投写位置は、実際より少し離れた位置に描かれている。上記と同様にして、第３の投写型表示装置ＰＪＣの光学系を調整することによって、第１〜第３の調整用パターン画像ＰＴ１Ａ，ＰＴ１Ｂ，ＰＴ１Ｃの投写位置を大体一致させることができる。
【００４９】
図９は、ステップＳ１（図４）の投写レンズの位置調整が終了した際の各投写型表示装置の光学系を示す説明図である。図９では、第２の投写型表示装置ＰＪＢ内に備えられた液晶ライトバルブ２１６Ｂと投写レンズ１０２Ｂとの位置関係は変更されておらず、このとき、液晶ライトバルブ２１６Ｂの中心線と投写レンズ１０２Ｂの中心線は一致している。第１の投写型表示装置ＰＪＡ内に備えられた投写レンズ１０２Ａの中心線は、液晶ライトバルブ２１６Ａの中心線より図中下方に変更されている。また、第３の投写型表示装置ＰＪＣ内に備えられた投写レンズ１０２Ｃの中心線は、液晶ライトバルブ２１６Ｃの中心線より図中上方に変更されている。このように、各投写型表示装置内の投写レンズと液晶ライトバルブとの位置関係を調整することにより、スクリーンＳＣ上に表示される各調整用パターン画像の投写位置を大体一致させることができる。なお、第１および第３の投写型表示装置ＰＪＡ，ＰＪＣに示すような投写は、通常、「あおり投写」と呼ばれている。
【００５０】
ステップＳ３（図４）では、各調整用パターン画像を整合させる。図１０は、ステップＳ３における処理を示す説明図である。図１０（Ａ）は、整合状態を調整する前に表示される３つの調整用パターン画像ＰＴ１Ａ，ＰＴ１Ｂ，ＰＴ１Ｃを示している。ここでは、ステップＳ２（図４）で投写レンズの位置調整を行ったときに、３つの画像ＰＴ１Ａ，ＰＴ１Ｂ，ＰＴ１Ｃの表示位置が互いにわずかにずれているものと仮定している。図１０（Ａ）では、第２の調整用パターン画像ＰＴ１Ｂを基準とすると、第１の調整用パターン画像ＰＴ１Ａは左上方向にずれており、第３の調整用パターン画像ＰＴ１Ｃは右下方向にずれている。以下では、第２の調整用パターン画像ＰＴ１Ａを基準として、調整用パターン画像を整合させる場合について説明する。
【００５１】
図１０（Ｂ）は、調整用パターン画像の調整して整合させるためのメニュー画面の一例を示している。このメニュー画面は、第１の投写型表示装置ＰＪＡのＯＳＤ処理部２１２（図２）によって、第１の調整用パターン画像ＰＴ１Ａ上に重畳して表示される。ユーザは、メニュー画面に従って、リモコン２２９（図２）や外部コンピュータ３００（図１）を操作することにより、スクリーンＳＣ上に表示された第１の調整用パターン画像ＰＴ１Ａの表示位置を移動させることができる。具体的には、ユーザがリモコン２２９や外部コンピュータ３００を操作することによって、フレームメモリ２２２（図２）内に書き込まれる調整用パターン画像データの位置を変更する。これに伴い、液晶ライトバルブ２１６に形成される画像の位置も変更される。これにより、スクリーンＳＣ上に投写表示される画像の表示位置が変更される。なお、第１および第２の調整用パターン画像ＰＴ１Ａ，ＰＴ１Ｂの大きさが異なる場合には、少なくとも一方を拡大あるいは縮小して調整用パターン画像の大きさを調整すればよい。この場合には、フレームメモリ２２２（図２）内に書き込まれる調整用パターン画像データの大きさが変更されることになる。
【００５２】
図１０（Ｃ）は、第１の調整用パターン画像ＰＴ１Ａと第２の調整用パターン画像ＰＴ１Ｂとがほぼ一致した後の画像を示している。上記と同様にして、第３の調整用パターン画像ＰＴ１Ｃと、第１および第２の調整用パターン画像ＰＴ１Ａ，ＰＴ１Ｂとをうまく一致させる。このようにして、３台の投写型表示装置ＰＪＡ，ＰＪＢ，ＰＪＣによって投写表示される３つの調整用パターン画像ＰＴ１Ａ，ＰＴ１Ｂ，ＰＴ１Ｃを１つの画像にうまく整合させることができる。なお、赤、緑、青の表示色のみ異なる同種の３つの調整用パターン画像がうまく整合した場合には、スクリーンＳＣ上で白色が表示されることになるので、整合状態の良否を容易に判断することも可能である。
【００５３】
図１１は、スクリーンＳＣ上で３つの調整用パターン画像がうまく整合した際に、各投写型表示装置ＰＪＡ，ＰＪＢ，ＰＪＣのフレームメモリ２２２内に書き込まれている調整用パターン画像データを示す説明図である。図１１（Ａ）〜（Ｃ）は、それぞれ第１〜第３の投写型表示装置ＰＪＡ，ＰＪＢ，ＰＪＣのフレームメモリ２２２Ａ，２２２Ｂ，２２２Ｃに書き込まれた調整用パターン画像データＤＰＴ１Ａ，ＤＰＴ１Ｂ，ＤＰＴ１Ｃを示している。図示するように、３つのフレームメモリには、それぞれ同じ調整用パターンデータに基づく画像データが書き込まれているが、各フレームメモリ内で書き込まれている位置が異なっている。なお、スクリーンＳＣ上に投写表示される調整用パターン画像の大きさを変更した場合には、フレームメモリ内に書き込まれている調整用パターン画像データの大きさも異なることとなる。このように、各投写型表示装置において、各フレームメモリ内に書き込む調整用パターン画像データの位置や形状を調整することによって、スクリーンＳＣ上に表示される各調整用パターン画像の表示位置や形状が変更され、３つの調整用パターン画像がうまく整合することとなる。
【００５４】
以上のようにして、調整用パターン画像の整合処理が終了する。このとき、各投写型表示装置において調整用パターン画像を調整した際の調整条件は、画像信号処理部２１０内の調整条件メモリ２１１に格納される。各投写型表示装置ＰＪＡ，ＰＪＢ，ＰＪＣの画像信号処理部２１０は、この調整条件に基づいて、外部から入力されたアナログ画像信号ＡＶ１をＡＤ変換後に調整して、生成された画像データをフレームメモリ内に書き込む。具体的には、各投写型表示装置は、図１１に示すように、フレームメモリ２２２Ａ，２２２Ｂ，２２２Ｃ内の調整用パターン画像データＤＰＴ１Ａ，ＤＰＴ１Ｂ，ＤＰＴ１Ｃが書き込まれた領域に画像データを書き込む。これにより、各投写型表示装置は、外部から入力されたアナログ画像信号ＡＶ１に基づく複数の画像がうまく整合した状態で、スクリーンＳＣ上に１つの画像を表示することが可能となる。
【００５５】
なお、本実施例（図１０）では、第２の投写型表示装置ＰＪＢによってスクリーンＳＣ上に表示される画像ＰＴ１Ｂを基準として、他の２台の投写型表示装置ＰＪＡ，ＰＪＣによって表示される画像ＰＴ１Ａ，ＰＴ１Ｃを移動させて１つの画像に整合させているが、３つの画像ＰＴ１Ａ，ＰＴ１Ｂ，ＰＴ１Ｃをそれぞれ移動させて１つの画像に整合させるようにしてもよい。
【００５６】
また、本実施例では、３台の投写型表示装置によって表示される３つの調整用パターン画像ＰＴ１Ａ，ＰＴ１Ｂ，ＰＴ１Ｃの表示色が異なり、識別が容易であるため、３つの調整用パターン画像をスクリーンＳＣ上に一緒に表示させて画像の整合処理を行っている。しかし、表示色や線の種類が同じ場合等には、３つの調整用パターン画像を一緒に表示すると、識別が困難となる。このような場合には、３台の投写型表示装置のうちのいずれか２台の調整用パターン画像を順次表示させて画像を整合させればよい。こうすれば、比較的容易に画像を整合させることができる。
【００５７】
また、スクリーンＳＣ上に表示される調整用パターン画像の表示色や線の種類が同じである場合等には、調整用パターン画像を調整する際にどの投写型表示装置について調整すればよいかが不明確な場合がある。このような場合には、投写表示される調整用パターン画像に識別符号を付すことが好ましい。
【００５８】
例えば、本実施例の投写表示システムでは、前述したように、外部コンピュータ３００（図１）は調整用パターンメモリ２２４内の調整用パターンデータを変更することができる。したがって、識別符号を含む調整用パターンデータを各投写型表示装置の調整用パターンメモリに準備するようにしてもよい。図１２は、識別符号を含む調整用パターンデータによって表される調整用パターン画像の一例を示す説明図である。図１２（Ａ）〜（Ｃ）は、第１〜第３の投写型表示装置ＰＪＡ，ＰＪＢ，ＰＪＣのそれぞれによって表示される調整用パターン画像ＰＴ４ａ，ＰＴ４ｂ，ＰＴ４ｃを示している。図示するように、これらの調整用パターン画像は、図３（Ａ）の調整用パターン画像ＰＴ１の右下に、各投写型表示装置の識別符号「ＰＪＡ」，「ＰＪＢ」，「ＰＪＣ」が追加されたものである。このような調整用パターン画像を用いれば、どの投写型表示装置について調整すべきかを容易に知ることができる。なお、このような識別符号を含む調整用パターン画像を、表示色を変更して用いる場合には、さらに容易にどの投写型表示装置について調整すべきかを知ることができる。
【００５９】
また、ＯＳＤ画像データによって表される画面を用いて、調整用パターン画像と投写型表示装置とを対応させてもよい。例えば、「赤：ＰＪＡ」，「緑：ＰＪＢ」，「青：ＰＪＣ」のような識別用画面を準備して、調整用パターン画像と一緒に表示させればよい。一般には、投写表示される調整用パターン画像に対応する投写型表示装置を識別するための識別符号が付されていればよい。
【００６０】
以上の説明からも分かるように、本実施例の画像信号処理部２１０とＯＳＤ処理部２１２とＯＳＤメモリ２１３とフレームメモリ２２２と調整用パターンメモリ２２４とが本発明の表示画像データ生成部に相当する。また、本実施例の画像信号処理部２１０が本発明の調整部に相当する。
【００６１】
Ｂ．第２実施例：
図９に示すように投写型表示装置をあおり投写で用いる場合には、投写表示される調整用パターン画像は、実際には、台形に歪む。これは、投写レンズ１０２から射出される光がスクリーンＳＣに達するまでの距離が、画像の各点で異なることに起因する。このような台形歪みは、複数台の投写型表示装置のほぼ正面にスクリーンＳＣが配置され、各投写型表示装置とスクリーンＳＣとの距離が比較的長い場合には無視することができる。しかし、スクリーンＳＣ上に表示される画像の台形歪みが無視できないような場合には、台形歪みを打ち消すように、各投写型表示装置のフレームメモリに形成される画像データを補正して調整することが好ましい。なお、投写型表示装置によって発生する画像の台形歪みについては、例えば、特開平８−９８１１９号公報に記載されている。
【００６２】
図１３は、調整用パターン画像の整合処理において、台形歪み補正を含む場合の処理を示す説明図である。なお、図１３（Ａ）〜（Ｄ）では、説明の便宜上、スクリーンＳＣ上に表示される３つの調整用パターン画像のうち、２つの調整用パターン画像ＰＴ１Ａ’，ＰＴ１Ｂ’のみが図示されている。
【００６３】
図１３（Ａ）は、図４のステップＳ２で投写レンズの位置調整を行う前にスクリーンＳＣ上に投写表示される調整用パターン画像ＰＴ１Ａ’，ＰＴ１Ｂ’を示しており、図８（Ａ）に対応する図である。
【００６４】
図１３（Ｂ）は、図４のステップＳ２で投写レンズの位置調整を行った後にスクリーンＳＣ上に投写表示される調整用パターン画像ＰＴ１Ａ’，ＰＴ１Ｂ’を示している。図示するように、第１の調整用パターン画像ＰＴ１Ａ’の投写位置をあおり投写によって変更した場合には、第１の調整用パターン画像ＰＴ１Ａ’に台形歪みが生じている。具体的には、第１の調整用パターン画像ＰＴ１Ａ’は、スクリーンＳＣ上に表示される調整用パターン画像の下方が膨らんだ台形形状となっている。これは、図９に示すように、第１の投写型表示装置ＰＪＡは、下方に向かって画像を投写するためである。なお、図示を省略した第３の調整用パターン画像は、第１の調整用パターン画像ＰＴ１Ａと逆の台形歪みが生じる。すなわち、第３の調整用パターン画像は、スクリーンＳＣ上に表示される調整用パターン画像の上方が膨らんだ台形形状となる。
【００６５】
図１３（Ｃ）は、図４のステップＳ３の調整用パターン画像の整合処理において、第１の調整用パターン画像ＰＴ１Ａ’について台形歪み補正を行った場合を示しており、第１の調整用パターン画像は略矩形に調整されている。このような台形歪み補正も、図示しない歪み補正用のメニュー画面に従って行うことができる。このとき、画像信号処理部２１０（図２）は、調整用パターンメモリ２２４から読み出された調整用パターンデータを補正し、台形歪み補正が施された調整用パターン画像データをフレームメモリ２２２に書き込む。図１３（Ｃ）では、図１３（Ｂ）で表示された略台形の第１の調整用パターン画像ＰＴ１Ａ’の上底（短辺）を基準にして台形歪みが補正されている。なお、本実施例では、ＯＳＤ処理部２１２によって生成されるＯＳＤ画像データにも、調整用パターンデータと同様の歪み補正処理が実行される。このため、スクリーンＳＣ上で調整用パターン画像が略矩形形状で表示される場合には、メニュー画面も略矩形形状で表示される。
【００６６】
図１３（Ｄ）は、図４のステップＳ３の調整用パターン画像の整合処理において、第１および第２の調整用パターン画像ＰＴ１Ａ’，ＰＴ１Ｂ’がうまく一致した場合を示している。この処理は、まず、図１３（Ｃ）に示す台形歪み補正が施された第１の調整用パターン画像ＰＴ１Ａ’の中心を、第２の調整用パターン画像ＰＴ１Ｂ’の中心に移動させて画像の位置合わせを行う。次に、第２の調整用パターン画像ＰＴ１Ｂ’を、第１の調整用パターン画像ＰＴ１Ａ’の大きさと等しくなるように縮小する。この処理によって、２つの画像がうまく一致する。
【００６７】
なお、図１３（Ｃ），（Ｄ）では、台形歪み補正の後に、位置合わせを行っているが、位置合わせの後に台形歪み補正を行うようにしてもよい。また、台形歪み補正と位置合わせとを繰り返し行いながら調整用パターン画像を整合させるようにしてもよい。
【００６８】
図示しない第３の調整用パターン画像についても同様にして画像の整合処理を行う。これにより、３つの調整用パターン画像がうまく一致し、スクリーンＳＣ上に略矩形形状の１つの調整用パターン画像が表示されることとなる。
【００６９】
図１４は、スクリーンＳＣ上で３つの調整用パターン画像がうまく整合した際に、各投写型表示装置ＰＪＡ，ＰＪＢ，ＰＪＣ内のフレームメモリに書き込まれている調整用パターン画像データを示す説明図である。図１４（Ａ）〜（Ｃ）は、それぞれ第１〜第３の投写型表示装置ＰＪＡ，ＰＪＢ，ＰＪＣのフレームメモリ２２２Ａ，２２２Ｂ，２２２Ｃに書き込まれた調整用パターン画像データＤＰＴ１Ａ’，ＤＰＴ１ Ｂ’，ＤＰＴ１Ｃ’を示している。図示するように、３つのフレームメモリには、同じ調整用パターンデータに基づく画像データが書き込まれている。フレームメモリ内では、３つの調整用パターン画像データはそれぞれ異なる位置に書き込まれている。また、第１および第３の調整用パターン画像データＤＰＴ１ Ａ’，ＤＰＴ１Ｃ’については、略台形に補正された状態で書き込まれている。第２の調整用パターン画像データＤＰＴ１Ｂ’については、縮小された状態で書き込まれている。このように、各投写型表示装置において、各フレームメモリ内に書き込む調整用パターン画像の位置や形状を調整することによって、スクリーンＳＣ上に投写表示される調整用パターン画像をうまく整合させることが可能となる。
【００７０】
以上説明したように、上記実施例の投写型表示装置は、投写表示される画像を投写面上における位置を少なくとも調整するための調整用パターン画像を表す調整用パターンデータを記憶する調整用パターンメモリを備えている。したがって、このような投写型表示装置を複数台備える投写表示システムでは、複数台の投写型表示装置のそれぞれによって表示される複数の調整用パターン画像を、容易に整合させることが可能となる。また、調整用パターン画像を整合させた際の調整条件に従って、外部から入力されたアナログ画像信号を調整すれば、うまく整合した状態で画像を表示することができる。
【００７１】
なお、この発明は上記の実施例や実施形態に限られるものではなく、その要旨を逸脱しない範囲において種々の態様において実施することが可能であり、例えば次のような変形も可能である。
【００７２】
（１）上記実施例では、３台の投写型表示装置を積み重ねた投写表示システムについて説明しているが、２台あるいは４台以上の投写型表示装置を積み重ねた投写表示システムについても適用可能である。また、複数台の投写型表示装置を垂直方向に積み重ねた投写表示システムに限らず、複数台の投写型表示装置を水平方向に並べた投写表示システムについても適用可能である。さらに、複数台の投写型表示装置のそれぞれを離れた位置に配置したような投写表示システムについても適用可能である。
【００７３】
また、上記実施例では、３台の投写型表示装置によって投写表示される３つの画像を一致させて、１つの画像を表示させる場合について説明したが、本発明は、複数台の投写型表示装置によって投写表示される複数の画像を並べて表示するような場合にも適用できる。
【００７４】
さらに、上記実施例では、図１に示すように、各投写型表示装置に同じアナログ画像信号ＡＶ１が供給されている場合について説明したが、複数台の投写型表示装置のそれぞれに異なるアナログ画像信号を供給するようにしてもよい。こうすれば、互いに異なる画像を、スクリーンＳＣ上に表示させることが可能となる。
【００７５】
このように、本発明は、一般に、複数台の投写型表示装置を備え、それぞれの投写型表示装置によって投写表示される複数の画像を、共通の投写面上に整合させて表示するような投写表示システムに適用可能である。
【００７６】
（２）上記実施例では、調整用パターンデータの調整は、調整用パターン画像データをフレームメモリ２２２（図２）に書き込む際に行っているが、フレームメモリ２２２から読み出す際に行ってもよい。このようにしても、画像信号処理部２１０は、上記実施例と同じ画像データＤＶ１を出力することが可能である。
【００７７】
（３）上記実施例では、図４において説明したように、ステップＳ１で選択された調整用パターン画像を用いて、投写レンズの位置調整（ステップＳ２）および調整用パターン画像の整合処理（ステップＳ３）を行っているが、それぞれの工程で調整用パターン画像を変更してもよい。また、調整用パターン画像の整合処理（ステップＳ３）の際に、処理内容によって調整用パターン画像を変更してもよい。例えば、スクリーンＳＣ上に表示された調整用パターン画像の表示位置を上下方向に移動させるような調整を行う場合には、矩形領域の上下の辺を示す線のみが含まれる調整用パターン画像を用いるようにしてもよい。こうすれば、調整用パターン画像の位置合わせを比較的容易に行うことができる。
【００７８】
（４）上記実施例では、図１に示すように、各投写型表示装置には外部コンピュータ３００から制御信号ＣＴＲが供給されているが、外部コンピュータ３００は省略してもよい。この場合にも、ユーザはリモコン２２９を操作することにより、各投写型表示装置を制御することが可能である。
【００７９】
（５）上記実施例では、投写型表示装置の電気光学装置として液晶ライトバルブ２１６（図２）を用いているが、電気光学装置としては、画像信号に応じて画像を形成する光を射出する種々の装置を利用することができる。例えば、ＤＭＤ（ディジタル・マイクロミラー・デバイス）（ＴＩ社の商標）などのマイクロミラー型光変調装置を用いてもよいし、高輝度ブラウン管やプラズマディスプレイパネルを用いてもよい。
【００８０】
（６）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【図１】本発明の実施例としての投写表示システムを示す説明図である。
【図２】図１の各投写型表示装置の内部構成の一例を示すブロック図である。
【図３】調整用パターンメモリ２２４に記憶された調整用パターンデータによって表される調整用パターン画像の例を示す説明図である。
【図４】投写表示システムにおける画像の整合処理方法を示すフローチャートである。
【図５】調整用パターン画像を選択するためのメニュー画面の一例を示す説明図である。
【図６】各投写型表示装置内のフレームメモリ２２２に書き込まれた調整用パターン画像データＤＰＴ１を示す説明図である。
【図７】各投写型表示装置ＰＪＡ，ＰＪＢ，ＰＪＣによって表示される調整用パターン画像の投写位置を示す説明図である。
【図８】ステップＳ２における処理を示す説明図である。
【図９】ステップＳ１（図４）の投写レンズの位置調整が終了した際の各投写型表示装置の光学系を示す説明図である。
【図１０】ステップＳ３における処理を示す説明図である。
【図１１】スクリーンＳＣ上で３つの調整用パターン画像がうまく整合した際に、各投写型表示装置ＰＪＡ，ＰＪＢ，ＰＪＣのフレームメモリ２２２内に書き込まれている調整用パターン画像データを示す説明図である。
【図１２】識別符号を含む調整用パターンデータによって表される調整用パターン画像の一例を示す説明図である。
【図１３】調整用パターン画像の整合処理において、台形歪み補正を含む場合の処理を示す説明図である。
【図１４】スクリーンＳＣ上で３つの調整用パターン画像がうまく整合した際に、各投写型表示装置ＰＪＡ，ＰＪＢ，ＰＪＣ内のフレームメモリに書き込まれている調整用パターン画像データを示す説明図である。
【図１５】従来の投写表示システムを示す説明図である。
【符号の説明】
１００…照明光学系
１０２（１０２Ａ，１０２Ｂ，１０２Ｃ）…投写レンズ
１０３…位置調整機構
２００ｂ…バス
２０８…画像入力端子
２１０…画像信号処理部
２１１…調整条件メモリ
２１２…ＯＳＤ処理部
２１３…ＯＳＤメモリ
２１４…液晶ライトバルブ駆動部
２１６（２１６Ａ，２１６Ｂ，２１６Ｃ）…液晶ライトバルブ
２２０…ＣＰＵ
２２２（２２２Ａ，２２２Ｂ，２２２Ｃ）…フレームメモリ
２２４…調整用パターンメモリ
２２８…制御信号処理部
２２９…リモコン
３００…外部コンピュータ
ＡＤＰ…調整用パターンデータ
ＡＤＳ…調整用画像信号
ＡＶ１…アナログ画像信号
ＣＴＲ…制御信号
ＤＰＴ１，ＤＰＴ１Ａ，ＤＰＴ１Ｂ，ＤＰＴ１Ｃ…調整用パターン画像データ
ＤＰＴ１Ａ’，ＤＰＴ１Ｂ’，ＤＰＴ１Ｃ’…調整用パターン画像データ
ＰＴ１，ＰＴ２，ＰＴ３…調整用パターン画像
ＰＴ１Ａ，ＰＴ１Ｂ，ＰＴ１Ｃ…調整用パターン画像
ＰＴ４ａ，ＰＴ４ｂ，ＰＴ４ｃ…調整用パターン画像
ＰＪＡ，ＰＪＢ，ＰＪＣ…投写型表示装置
ＰＪＺＡ，ＰＪＺＢ，ＰＪＺＣ…投写型表示装置
ＳＣ…スクリーン
【図１】
0003646580.tif 000002
【図２】
0003646580.tif 000003
【図３】
0003646580.tif 000004
【図４】
0003646580.tif 000005
【図５】
0003646580.tif 000006
【図６】
0003646580.tif 000007
【図７】
0003646580.tif 000008
【図８】
0003646580.tif 000009
【図９】
0003646580.tif 000010
【図１０】
0003646580.tif 000011
【図１１】
0003646580.tif 000012
【図１２】
0003646580.tif 000013
【図１３】
0003646580.tif 000014
【図１４】
0003646580.tif 000015
【図１５】
0003646580.tif 000016